(57)【要約】      （修正有）【課題】ダウンロードしたソフトウェアを使用開始する際のユーザ登録の手間を軽減する。【解決手段】情報システム１０００において、情報提供システム（情報処理システム）は、第１ユーザのユーザ特定情報をアドレスの一部として含むＵＲＬを符号化して得られる画像データを出力する画像データ出力部と、画像データからＵＲＬを取得するＵＲＬ取得部と、ＵＲＬから特定され、ユーザ端末を用いて情報処理サービスの提供を受けるためのプログラムの入手先である第２ウェブページのＵＲＬを記述した第１ウェブページを送信する第１ウェブページ送信部と、プログラムによって第１ウェブページのＵＲＬに含まれるユーザ特定情報を取得するユーザ特定情報取得部と、プログラムから送信されたユーザ特定情報と合致するユーザ特定情報が存在する場合に、プログラムを介してユーザ端末に情報処理サービスの提供を行うサービス提供部と、を備える。【選択図】図１
2020021274.tif 000002
【特許請求の範囲】
【請求項１】
第１ユーザのユーザ特定情報をアドレスの一部として含むＵＲＬを符号化して得られる画像データを出力する画像データ出力部と、
前記画像データから前記ＵＲＬを取得するＵＲＬ取得部と、
前記ＵＲＬから特定され、ユーザ端末を用いて情報処理サービスの提供を受けるためのプログラムの入手先である第２ウェブページのＵＲＬを記述した第１ウェブページを送信する第１ウェブページ送信部と、
前記プログラムによって前記第１ウェブページのＵＲＬに含まれる前記ユーザ特定情報を取得するユーザ特定情報取得部と、
前記プログラムから送信された前記ユーザ特定情報と合致するユーザ特定情報が存在する場合に、前記プログラムを介して前記ユーザ端末に前記情報処理サービスの提供を行うサービス提供部と、
を備える、情報処理システム。
【請求項２】
請求項１に記載の情報処理システムであって、
前記第１ウェブページ送信部は、前記第２ウェブページのＵＲＬと、前記プログラムの起動コマンドと、を記述した前記第１ウェブページを前記ユーザ端末に送信し、
前記起動コマンドは、前記ユーザ端末に前記プログラムがインストールされている場合には、前記ユーザ端末に前記プログラムを起動させる、情報処理システム。
【請求項３】
請求項１又は２に記載の情報処理システムであって、
前記情報処理サービスの提供は、前記第１ユーザのユーザ登録である、情報処理システム。
【請求項４】
請求項１〜３のいずれかに記載の情報処理システムであって、
ユーザを一意に特定可能なユーザ特定情報と、ユーザに関する所定の属性情報と、をユーザ毎に記憶するユーザ管理テーブルと、
を備え、
前記ユーザ特定情報取得部は、前記ユーザ端末から、前記第１ウェブページのＵＲＬに含まれる前記ユーザ特定情報と共に、前記ユーザ端末に入力された前記第１ユーザに関する所定の属性情報を取得し、
前記サービス提供部は、前記ユーザ特定情報取得部が取得した前記ユーザ特定情報及び前記所定の属性情報にそれぞれ合致するユーザ特定情報及び属性情報が前記ユーザ管理テーブルに記憶されている場合に、前記ユーザ端末に前記情報処理サービスの提供を行う、
情報処理システム。
【請求項５】
請求項１〜４のいずれかに記載の情報処理システムであって、
コンテンツ情報を記憶するコンテンツ情報記憶部をさらに備え、
前記サービス提供部は、前記ユーザ端末に前記コンテンツ情報を配信することにより、前記情報処理サービスの提供を行う、情報処理システム。
【請求項６】
請求項５に記載の情報処理システムであって、
前記コンテンツ情報記憶部には、各ユーザの前記ユーザ特定情報と対応付けて、ユーザ毎に異なるコンテンツ情報が記憶され、
前記サービス提供部は、前記第１ユーザのユーザ特定情報に対応付けられているコンテンツ情報を前記ユーザ端末に配信する、情報処理システム。
【請求項７】
請求項６に記載の情報処理システムであって、
前記コンテンツ情報は、各ユーザが受けた健康診断の結果が記載された情報である、情報処理システム。
【請求項８】
請求項１〜７のいずれかに記載の情報処理システムであって、
前記画像データは二次元バーコードである、情報処理システム。
【請求項９】
情報処理システムが、
第１ユーザのユーザ特定情報をアドレスの一部として含むＵＲＬを符号化して得られる画像データを出力し、
前記画像データから前記ＵＲＬを取得し、
前記ＵＲＬから特定され、ユーザ端末を用いて情報処理サービスの提供を受けるためのプログラムの入手先である第２ウェブページのＵＲＬを記述した第１ウェブページを送信し、
前記プログラムによって前記第１ウェブページのＵＲＬに含まれる前記ユーザ特定情報を取得し、
前記プログラムから送信された前記ユーザ特定情報と合致するユーザ特定情報が存在する場合に、前記プログラムを介して前記ユーザ端末に前記情報処理サービスの提供を行う、情報処理システムの制御方法。
【請求項１０】
コンピュータに、
第１ユーザのユーザ特定情報をアドレスの一部として含むＵＲＬを符号化して得られる画像データを出力する手順と、
前記画像データから前記ＵＲＬを取得する手順と、
前記ＵＲＬから特定され、ユーザ端末を用いて情報処理サービスの提供を受けるためのプログラムの入手先である第２ウェブページのＵＲＬを記述した第１ウェブページを送信する手順と、
前記プログラムによって前記第１ウェブページのＵＲＬに含まれる前記ユーザ特定情報を取得する手順と、
前記プログラムから送信された前記ユーザ特定情報と合致するユーザ特定情報が存在する場合に、前記プログラムを介して前記ユーザ端末に前記情報処理サービスの提供を行う手順と、
を実行させるためのプログラム。
【発明の詳細な説明】
【技術分野】
【０００１】
本発明は、情報処理システム、情報処理システムの制御方法及びプログラムに関する。
【背景技術】
【０００２】
近年、ＱＲコード（登録商標）などの二次元コードをスマートフォンを用いて撮影することで、ウェブページを閲覧することが可能になっている（例えば特許文献１参照）。
【０００３】
また、このようにしてソフトウェアのダウンロードページにアクセスし、このダウンロードページからソフトウェアをダウンロードすることも可能である。
【先行技術文献】
【特許文献】
【０００４】
【特許文献１】特開２０１７−０４９６３５号公報
【発明の概要】
【発明が解決しようとする課題】
【０００５】
一方、スマートフォンにダウンロードされたソフトウェアの中には、使用開始時に、氏名やメールアドレス、電話番号、生年月日等のユーザ登録情報の入力を必要とするものがある。
【０００６】
この場合、ソフトウェアをダウンロードするまでは二次元コードの撮影により簡単に行うことができるが、ユーザ登録の手続きに手間がかかる。
【０００７】
本発明はこのような課題を鑑みてなされたものであり、ダウンロードしたソフトウェアを使用開始する際のユーザ登録の手間を軽減することが可能な情報処理システム、情報処理システムの制御方法及びプログラムを提供することを目的とする。
【課題を解決するための手段】
【０００８】
本発明の一実施形態の情報処理システムは、第１ユーザのユーザ特定情報をアドレスの一部として含むＵＲＬを符号化して得られる画像データを出力する画像データ出力部と、前記画像データから前記ＵＲＬを取得するＵＲＬ取得部と、前記ＵＲＬから特定され、ユーザ端末を用いて情報処理サービスの提供を受けるためのプログラムの入手先である第２ウェブページのＵＲＬを記述した第１ウェブページを送信する第１ウェブページ送信部と、前記プログラムによって前記第１ウェブページのＵＲＬに含まれる前記ユーザ特定情報を取得するユーザ特定情報取得部と、前記プログラムから送信された前記ユーザ特定情報と合致するユーザ特定情報が存在する場合に、前記プログラムを介して前記ユーザ端末に前記情報処理サービスの提供を行うサービス提供部と、を備える。
【０００９】
その他、本願が開示する課題、及びその解決方法は、発明を実施するための形態の欄の記載、及び図面の記載等により明らかにされる。
【発明の効果】
【００１０】
ダウンロードしたソフトウェアを使用開始する際のユーザ登録の手間を軽減することができる。
【図面の簡単な説明】
【００１１】
【図１】本実施形態に係る情報提供システムを含む情報システムの全体構成図である。
【図２】本実施形態に係るユーザ端末のハードウェア構成を示す図である。
【図３】本実施形態に係る医療機関システムのハードウェア構成を示す図である。
【図４】本実施形態に係る情報提供システムのハードウェア構成を示す図である。
【図５】本実施形態に係る情報提供システムの記憶装置を示す図である。
【図６】本実施形態に係る医療データ管理テーブルを示す図である。
【図７】本実施形態に係るユーザ管理テーブルを示す図である。
【図８】本実施形態に係る情報提供システムの機能構成を示す図である。
【図９】本実施形態に係る処理の流れを示すフローチャートである。
【図１０】本実施形態に係る処理の流れを示すフローチャートである。
【図１１】本実施形態に係る処理の流れを示すフローチャートである。
【図１２】本実施形態に係る処理の流れを示すフローチャートである。
【図１３】本実施形態に係る処理の流れを示すフローチャートである。
【図１４】本実施形態に係る処理の流れを示すフローチャートである。
【図１５】本実施形態に係る画面例を示す図である。
【図１６】本実施形態に係る画面例を示す図である。
【図１７】本実施形態に係る画面例を示す図である。
【図１８】本実施形態に係る画面例を示す図である。
【図１９】本実施形態に係る画面例を示す図である。
【図２０】本実施形態に係る画面例を示す図である。
【図２１】本実施形態に係る画面例を示す図である。
【図２２】本実施形態に係る画面例を示す図である。
【発明を実施するための形態】
【００１２】
本明細書および添付図面の記載により、少なくとも以下の事項が明らかとなる。以下、本発明をその一実施形態に即して添付図面を参照しつつ説明する。
【００１３】
＝＝全体構成＝＝
図１に、本発明の一実施形態に係る情報提供システム（情報処理システムとも記載する）３００、医療機関システム２００及びユーザ端末１００を含む情報システム１０００を示す。情報提供システム３００、医療機関システム２００及びユーザ端末１００は、インターネットやＬＡＮ（Local Area Network）、電話網等のネットワーク５００を通じて相互に通信可能に接続されている。
【００１４】
医療機関システム２００は、病院や診療所等の医療機関が有するサーバやパソコン等のコンピュータである。
【００１５】
ユーザ端末１００は、医療機関で診療や健康診断を受けるユーザが有するコンピュータであり、スマートフォンや携帯電話機、ノートパソコン、タブレットなどの可搬型の情報処理端末、ユーザの自宅で使用されるパソコン等である。
【００１６】
情報提供システム３００は、ユーザ端末１００を操作するユーザに対して様々な情報処理サービスを提供するサーバやパソコン等のコンピュータである。
【００１７】
例えば情報提供システム３００は、ユーザの氏名や生年月日、性別等の属性情報をユーザ端末１００から取得してユーザ登録を行うと共に、ユーザが医療機関で健康診断を受けた場合に作成される健康診断の結果等の医療データを医療機関システム２００から取得し、ユーザ端末１００を操作するユーザに対して提供する。
【００１８】
この場合ユーザは、医療機関で受けた健康診断の結果を印刷物の形態でも受け取れるが、ユーザ端末１００に所定のプログラム（以下、アプリ７３０と記載する）をインストールした上で、情報提供システム３００に上記ユーザ登録を行うことにより、ユーザ端末１００を用いて自分の健診結果を電子データの形態で閲覧することが可能となる。
【００１９】
情報提供システム３００には、直近に受けた健康診断の結果だけでなくそれ以前の結果も保存しておくことができるため、ユーザは、過去の古い健診結果の紛失を心配することなく、いつでも自分が受けた健康診断の結果を自由に閲覧できる。そのため、自分の健康状態の推移をいつでも確認することが可能である。また情報提供システム３００には、ユーザが自主的に計測した日々の歩行数や血圧、体温等の様々な医療データを保存しておくこともできる。このため、ユーザは、健診結果と合わせ、これらの医療データを用いて自分の健康管理に役立てることもできる。
【００２０】
なお上述したように、ユーザは、情報提供システム３００に保存されている健診結果等の自分の医療データを閲覧するためには、ユーザ端末１００にアプリ７３０をインストールする必要がある。
【００２１】
アプリ７３０のインストールは、所定のダウンロードページ（第２ウェブページとも記載する）から行うことができる。ユーザはユーザ端末１００上でブラウザを実行し、このダウンロードページにアクセスしてアプリ７３０をインストールすることもできるし、医療機関からユーザに通知されるＱＲコード（登録商標）等の二次元コード等の画像データをユーザ端末１００のカメラ機能を用いて撮影することでユーザ端末１００に表示されるウェブページ（アプリインストールページ、あるいは第１ウェブページとも記載する）に記載されているダウンロードページからアプリ７３０をインストールすることもできる。ユーザ端末１００のカメラ機能を用いた二次元コードの撮影は、一般のＱＲコード読み取り用のプログラム（以下、「二次元コードリーダ」とも記載する）を用いて行うことができる。
【００２２】
ユーザはこのようにしてユーザ端末１００にアプリ７３０をインストールすると、次にユーザ登録を行う。
【００２３】
ユーザ登録は、アプリ７３０を起動して上記の二次元コードを撮影することで行うことができる。詳細は後述するが、この二次元コードには、ユーザを一意に特定可能なユーザ特定情報をアドレスの一部として含むＵＲＬ(Uniform Resource Locator)を符号化した情報が含まれており、このユーザ特定情報がユーザ端末１００から情報提供システム３００に送信されることでユーザ登録が行われる。このような態様により、ユーザ登録の手間を軽減することができる。
【００２４】
なおユーザ登録の際に、ユーザに生年月日等の自分の属性情報をユーザ端末１００に入力させ、このユーザ属性情報を、上記のユーザ特定情報と共にユーザ端末１００から情報提供システム３００に送信するようにしてもよい。そして情報提供システム３００は上記ユーザ特定情報に加えて、この属性情報を用いて照合し、ユーザ登録を行う。このような態様により、より確実にユーザの本人確認を行うことが可能となる。
【００２５】
あるいは、ユーザ登録は、上述した第１ウェブページからアプリ７３０を起動して行うことも可能である。つまり、二次元コードリーダを用いて二次元コードを撮影して、ダウンロードページからアプリ７３０をインストールした後、第１ウェブページにアクセスし、第１ウェブページ内に表示されているアプリ７３０の起動ボタンを押下する、第１ウェブページを開いた際に表示されるアプリ７３０を起動するか否かを問うダイアログを経由するなどしてアプリ７３０を起動し、そのまま二次元コード内のユーザ特定情報を情報提供システム３００に送信することでユーザ登録を行う。このような態様によってもユーザ登録の手間を軽減することができる。またこの場合、ユーザは二次元コードの撮影を１回行うだけで、アプリ７３０のインストールとユーザ登録を行うことができる。
【００２６】
なお医療機関からユーザに通知される二次元コードは、情報提供システム３００により生成される。具体的には、例えば、医療機関システム２００からユーザの健診結果等の医療データや個人情報を取得した後、医療機関システム２００からの要求に従って情報提供システム３００によって生成され、情報提供システム３００から医療機関システム２００に画像データとして出力される。そして医療機関によってこの二次元コードが印刷物に印刷され、健診結果と共にユーザに配布される。
【００２７】
以下、詳細に説明する。
【００２８】
＝＝ユーザ端末＝＝
まず、ユーザ端末１００について図２を参照しながら説明する。
【００２９】
ユーザ端末１００のハードウェア構成図の一例を図２に示す。本実施形態のユーザ端末１００は、ＣＰＵ（Central Processing Unit）１１０、メモリ１２０、通信装置１３０、記憶装置１４０、入力装置１５０、出力装置１６０、及び記録媒体読取装置１７０を備えて構成されるスマートフォンやパソコンなどのコンピュータである。
【００３０】
記憶装置１４０は、ユーザ端末１００によって実行されるユーザ端末制御プログラム７１０や、後述するダウンロードサイトからダウンロードしたアプリ７３０等の各種のプログラムやデータを格納する。
【００３１】
記憶装置１４０に記憶されているユーザ端末制御プログラム７１０やアプリ７３０、あるいは各種のデータがメモリ１２０に読み出されてＣＰＵ１１０によって実行あるいは処理されることにより、ユーザ端末１００の各種機能が実現される。
【００３２】
ここで、記憶装置１４０は例えばハードディスクやＳＳＤ（Solid State Drive）、フラッシュメモリ等の不揮発性の記憶装置である。
【００３３】
アプリ７３０は、情報提供システム３００によって提供される各種の情報処理サービスをユーザ端末１００から利用するためのプログラムである。本実施形態では、ユーザ端末１００にアプリ７３０をインストールし、所定のユーザ登録を行うことによって、ユーザは情報提供システム３００に保存されている自分の健診結果などの医療データを閲覧することが可能となる。
【００３４】
記録媒体読取装置１７０は、ＳＤカード等の記録媒体８００に記録されたユーザ端末制御プログラム７１０やアプリ７３０、あるいはデータを読み取り、記憶装置１４０に格納する。
【００３５】
通信装置１３０は、ネットワーク５００を介して、医療機関システム２００や情報提供システム３００、あるいは不図示の他のコンピュータと各種データやユーザ端末制御プログラム７１０、アプリ７３０の授受を行う。例えば他のコンピュータに上述したユーザ端末制御プログラム７１０やデータ、アプリ７３０を格納しておき、ユーザ端末１００がこのコンピュータからユーザ端末制御プログラム７１０やデータ、アプリ７３０をダウンロードするようにすることができる。
【００３６】
入力装置１５０は、ユーザによるコマンドやデータの入力を受け付ける各種ボタンやスイッチ、キーボード、タッチパネルディスプレイ上でのタッチ位置を検出するタッチセンサ、マイクなどの入力インタフェース、加速度センサ、温度センサ、ＧＰＳ受信機やコンパスなどの位置検出センサ、カメラなどである。
【００３７】
なお、本実施形態では、ユーザ端末１００はカメラ機能を用いて二次元コードを読み取るが、カメラ機能を備えない場合には、ユーザ端末１００は二次元コードの読み取り装置を備え、この読取装置を用いて二次元コードを読み取る。
【００３８】
また出力装置１６０は、例えばディスプレイなどの表示装置、スピーカ、バイブレータ、照明などの出力ユーザインタフェースである。
【００３９】
＝＝医療機関システム＝＝
医療機関システム２００は、図３に示す様に、ＣＰＵ２１０、メモリ２２０、通信装置２３０、記憶装置２４０、入力装置２５０、出力装置２６０、及び記録媒体読取装置２７０を備えて構成される。これらの医療機関システム２００のハードウェア構成は、ユーザ端末１００のハードウェア構成と必ずしも同じではないものの、基本的な構成は共通である。そのため、これらのハードウェア構成についての重複した説明は省略する。
【００４０】
医療機関システム２００の記憶装置２４０には、医療機関システム２００によって実行される医療機関システム制御プログラム７２０等の各種のプログラムやデータが格納される。
【００４１】
また記憶装置２４０には、ユーザが受診した健康診断の結果が、ユーザの氏名や受診者番号、生年月日、性別、住所、受診日等の属性情報と対応付けて記憶される。
【００４２】
また記憶装置２４０に記憶されている医療機関システム制御プログラム７２０や各種のデータがメモリ２２０に読み出されてＣＰＵ２１０によって実行あるいは処理されることにより、医療機関システム２００の各種機能が実現される。
【００４３】
例えば医療機関システム２００は、記憶装置２４０に記憶されているユーザの健診結果等の医療データを、ユーザの属性情報と共に情報提供システム３００に送信する。
【００４４】
また医療機関システム２００は、情報提供システム３００から、後述するユーザ特定情報をアドレスの一部として含むＵＲＬを符号化して得られるＱＲコード（登録商標）等の二次元バーコード（二次元コードとも記載する）等の画像データを取得して、この画像データを印刷する。なおこの画像データは、例えば健診結果の印刷物と共にユーザに配布される。ユーザは、ユーザ端末１００を用いてこの二次元コードを復号化し、所定のダウンロードサイトからアプリ７３０をダウンロードする。
【００４５】
＝＝情報提供システム＝＝
続いて、情報提供システム３００について図４〜図８を参照しながら説明する。
【００４６】
情報提供システム３００のハードウェア構成を図４に示す。ただし、情報提供システム３００も、医療機関システム２００やユーザ端末１００と基本的な構成は共通しているため、重複した説明は省略する。
【００４７】
記憶装置３４０には、図５に示す様に、情報提供システム制御プログラム７００、医療データ管理テーブル６００、ユーザ管理テーブル６１０が記憶されている。
【００４８】
記憶装置３４０に記憶されている情報提供システム制御プログラム７００や各種のデータがメモリ３２０に読み出されてＣＰＵ３１０によって実行あるいは処理されることにより、情報提供システム３００の各種機能が実現される。
【００４９】
＜医療データ管理テーブル＞
図６に、医療データ管理テーブル６００の一例を示す。医療データ管理テーブル６００は、ユーザの健診結果等の医療データを、ユーザを一意に特定可能なユーザ特定情報と対応付けて記憶するテーブルである。
【００５０】
図６に示すように、医療データ管理テーブル６００には、「ユーザＩＤ」、「ユーザ氏名」、「医療機関コード」、「受診者番号」、「生年月日」、「性別」、「医療データ」が記載される。
【００５１】
これらのうち、「ユーザ氏名」、「受診者番号」、「生年月日」、「性別」は、ユーザの属性を表す属性情報（以下、ユーザ情報とも記載する）である。「受診者番号」は、医療機関によって各ユーザに付与される識別番号である。
【００５２】
「医療機関コード」は、医療機関を一意に識別する情報であり、医療機関システム２００が情報提供システム３００に医療データ及びユーザの属性情報を送信する際に合わせて送信される。「ユーザＩＤ」は、新規ユーザの医療データ及び属性情報が医療機関システム２００から送信された際に情報提供システム３００によって生成される各ユーザにユニークな情報である。本実施形態では、「ユーザＩＤ」を暗号化した情報をユーザ特定情報としている。
【００５３】
「医療データ」には、情報提供システム３００が医療機関システム２００から取得したユーザの健康診断の結果や、情報提供システム３００がユーザ端末１００から取得したユーザの日々の血圧や歩数等の医療データが保存される。情報提供システム３００は、同一のユーザの新たな医療データを医療機関システム２００やユーザ端末１００から取得した場合は、そのユーザの「医療データ」欄に新たな医療データを追加する。
【００５４】
なお上記説明では、ユーザ情報は健康診断の結果と共に医療機関システム２００から情報提供システム３００に送信され、医療データ管理テーブル６００に記憶されるとしたが、健康診断の結果が出る前（例えばユーザから健康診断の申し込みを受け付けた際等）にユーザ情報のみを医療機関システム２００から情報提供システム３００に送信し、医療データ管理テーブル６００に記憶するようにしても良い。
【００５５】
＜ユーザ管理テーブル＞
次にユーザ管理テーブル６１０を図７に示す。本実施形態のユーザ管理テーブル６１０は、ユーザを一意に特定可能なユーザ特定情報（より詳細にはユーザ特定情報に関連する情報）と、ユーザに関する所定の属性情報と、をユーザ毎に記憶するテーブルである。
【００５６】
図７に示す例では、ユーザ管理テーブル６１０には、「ユーザＩＤ」、「ユーザ氏名」、「医療機関コード」、「受診者番号」、「生年月日」、「性別」、「メールアドレス」、「ユーザ登録状態」が記載される。
【００５７】
これらのうち、「ユーザ氏名」、「受診者番号」、「生年月日」、「性別」は、医療データ管理テーブル６００に記載される情報と同じユーザ属性情報である。つまり、情報提供システム３００が医療機関システム２００やユーザ端末１００から新規ユーザの医療データを取得した際に、情報提供システム３００が、この医療データと共に取得した属性情報をユーザ管理テーブル６１０に記載したものである。
【００５８】
また「ユーザＩＤ」「医療機関コード」も医療データ管理テーブル６００に記載される情報と同じである。
【００５９】
そして「ユーザＩＤ」、「ユーザ氏名」、「医療機関コード」、「受診者番号」、「生年月日」、「性別」のうちの１つ以上の組み合わせによりユーザ特定情報が形成される。上述したように、本実施形態では「ユーザＩＤ」を暗号化した情報をユーザ特定情報としている。
【００６０】
「メールアドレス」は、以下に説明するユーザ登録（本登録）の際にユーザ端末１００から送信される情報である。
【００６１】
「ユーザ登録状態」は、ユーザ登録の状態を示す。本実施形態では、ユーザ登録状態は、「未登録」「仮登録」「本登録」の３状態がある。
【００６２】
「未登録」は、ユーザ登録がまだ行なわれていないことを示す。「仮登録」は、ユーザ端末１００から情報提供システム３００へユーザ特定情報が送信され、ユーザ特定情報の登録は完了しているが、メールアドレスの登録がまだ行なわれていない状態を示す。「本登録」は、ユーザのメールアドレスの登録が行われた状態を示す。
【００６３】
＜機能構成＞
次に情報提供システム３００の機能構成図の一例を図８に示す。本実施形態に係る情報提供システム３００は、画像データ出力部３０１、ＵＲＬ取得部３０２、第１ウェブページ送信部３０３、ユーザ特定情報取得部３０４、サービス提供部３０５、ユーザ管理テーブル３０６、コンテンツ情報記憶部３０７の各機能を含む。
【００６４】
これらの各機能は、情報提供システム３００のハードウェアによって本実施形態に係る情報提供システム制御プログラム７００が実行されることにより実現される。
【００６５】
画像データ出力部３０１は、第１ユーザのユーザ特定情報をアドレスの一部として含むＵＲＬを符号化して得られる画像データを出力する。具体的に説明すると、情報提供システム３００は、例えば、医療機関システム２００から第１ユーザの健康診断の結果を第１ユーザの上述した属性情報とともに取得した際に、第１ユーザのユーザ特定情報（例えばユーザＩＤに所定の処理を行って得られる英数字の列）と、第１ウェブページのドメイン名と、を含むようなＵＲＬを生成した上で符号化し、ＱＲコードなどの二次元コードあるいは二次元バーコードの画像データを生成する。そして情報提供システム３００は、この画像データを医療機関システム２００に送信する。
【００６６】
次に、ＵＲＬ取得部３０２は、画像データから上記ＵＲＬを取得する。具体的に説明すると、情報提供システム３００から医療機関システム２００に送信された二次元コードの画像データが医療機関によって印刷され、ユーザに配布された後、二次元コードリーダを実行するユーザ端末１００によってこの二次元コードが撮影されると、この二次元コードからＵＲＬが復元され、ユーザ端末１００から、ＵＲＬを指定したウェブページの閲覧要求が情報提供システム３００に送信される。このようにして、情報提供システム３００は、ＵＲＬを取得する。
【００６７】
次に、第１ウェブページ送信部３０３は、このＵＲＬから特定される第１ウェブページをユーザ端末１００に送信する。このとき第１ウェブページ送信部３０３は、第１ウェブページを記述したＨＴＭＬファイルに、ユーザ端末１００を用いて情報処理サービスの提供を受けるためのアプリ７３０の入手先であるダウンロードページ（第２ウェブページ）のＵＲＬを記述しておく。つまり、第１ウェブページ送信部３０３は、第１ウェブページ内に、アプリ７３０のダウンロードページに遷移するためのボタンが表示されるように、ＨＴＭＬファイルを記述する。
【００６８】
また第１ウェブページ送信部３０３は、第１ウェブページのＨＴＭＬファイルに、アプリ７３０の起動コマンドも記述しておく。つまり、第１ウェブページ送信部３０３は、第１ウェブページ内に、アプリ７３０を起動するためのボタン(ダイアログ等）が表示されるように、ＨＴＭＬファイルを記述する。
【００６９】
このような第１ウェブページがユーザ端末１００に表示されている様子を図２２に示す。
【００７０】
このような態様により、ユーザは、第１ウェブページを閲覧した際に、ユーザ端末１００にまだアプリ７３０がインストールされていない場合には、アプリ７３０のダウンロードページを表示させることもできるし、アプリ７３０が既にインストールされている場合には、そのままアプリ７３０を起動させることも可能となる。
【００７１】
ユーザ特定情報取得部３０４は、アプリ７３０によって第１ウェブページのＵＲＬに含まれるユーザ特定情報を取得する。具体的に説明すると、ユーザ端末１００がアプリ７３０を起動して、医療機関からユーザに配布された二次元コードの画像データを撮影すると、ユーザ端末１００は、二次元コードから第１ウェブページのＵＲＬを復元し、このＵＲＬに含まれているユーザ特定情報を情報提供システム３００に送信する。このユーザ特定情報を、ユーザ特定情報取得部３０４が取得する。ユーザ特定情報は、例えば、引数としてＵＲＬに含めることができる。
【００７２】
なお、ユーザ特定情報取得部３０４は、ユーザ端末１００から、第１ウェブページのＵＲＬに含まれるユーザ特定情報と共に、ユーザ端末１００に入力された第１ユーザに関する所定の属性情報を取得するようにしてもよい。
【００７３】
具体的に説明すると、ユーザ端末１００がアプリ７３０を起動した際に、生年月日等の第１ユーザの属性情報をユーザ端末１００に入力させるようにしておき、ユーザ端末１００がユーザ特定情報を情報提供システム３００に送信する際に、この属性情報も送信するようにする。このような態様により、ユーザ端末１００を操作しているユーザの本人確認をより確実に行うことが可能となる。
【００７４】
サービス提供部３０５は、アプリ７３０から送信されたユーザ特定情報と合致するユーザ特定情報が存在する場合に、アプリ７３０を介してユーザ端末１００に情報処理サービスの提供を行う。具体的には、サービス提供部３０５は、ユーザ管理テーブル６１０を参照し、ユーザ端末１００から取得したユーザ特定情報と合致するユーザ特定情報がユーザ管理テーブル６１０に記憶されている場合に、所定の情報処理サービスの提供を行う。
【００７５】
ユーザに提供される情報処理サービスは、例えばユーザ登録、あるいは、以下に述べるコンテンツ情報記憶部３０７に記憶されているユーザの健診結果等のコンテンツの配信である。
【００７６】
なお、ユーザ特定情報取得部３０４がユーザ端末１００からユーザ特定情報と共に第１ユーザの属性情報を取得した場合には、サービス提供部３０５は、ユーザ特定情報取得部３０４が取得したユーザ特定情報及び属性情報にそれぞれ合致するユーザ特定情報及び属性情報がユーザ管理テーブル６１０に記憶されている場合に、ユーザ端末１００に情報処理サービスの提供を行うようにする。このような態様により、ユーザ端末１００を操作しているユーザの本人確認をより確実に行って情報処理サービスの提供を行うことが可能となる。
【００７７】
ユーザ管理テーブル３０６は、ユーザに関する所定の属性情報をユーザ毎に記憶するテーブルであるが、本実施形態では、上述したユーザ管理テーブル６１０として具現化されている。
【００７８】
上述した様に、本実施形態では、「ユーザ氏名」、「受診者番号」、「生年月日」、「性別」がユーザ属性情報であり、「ユーザＩＤ」を暗号化して得られた任意の文字列がユーザ特定情報である。
【００７９】
コンテンツ情報記憶部３０７は、ユーザの健診結果等のコンテンツ情報を記憶する。本実施形態では、コンテンツ情報記憶部３０７は、医療データ管理テーブル６００として具現化されている。
【００８０】
なお、コンテンツ情報記憶部３０７には、各ユーザのユーザ特定情報と対応付けて、ユーザ毎に異なるコンテンツ情報を記憶しておき、サービス提供部３０５は、ユーザ端末１００から取得したユーザ特定情報に対応付けられているコンテンツ情報をユーザ端末１００に配信するようにしている。
【００８１】
＝＝処理の流れ＝＝
次に、本実施形態に係る情報提供システム３００による処理の具体例を、図９〜図２２を参照しながら説明する。
【００８２】
[医療データの登録、二次元コードの出力]
まず図９、図１０に示すフローチャートを参照しながら、医療機関システム２００による医療データの登録処理と、情報提供システム３００による二次元コードの出力処理について説明する。なお図９は、健康診断の申し込み時等、健康診断の結果が出る前に医療機関が健康診断の申込者のユーザ情報の登録を行う場合の処理を示すフローチャートであり、図１０は、医療機関システム２００が情報提供システム３００に健康診断の結果を登録する際の処理を示すフローチャートである。
【００８３】
まず図９を参照しながら、健康診断の結果が出る前にユーザ情報の登録を行う場合の処理について説明する。
【００８４】
医療機関システム２００は、医療機関コードとユーザ情報（例えば「ユーザ氏名」、「受診者番号」、「生年月日」、「性別」）を情報提供システム３００に送信する（S1000）。
【００８５】
情報提供システム３００は、これらの情報を、医療データ管理テーブル６００に記憶されている情報と照合し、同一ユーザのデータが存在するか否かを判定する（S1010）。
【００８６】
同一ユーザのデータが存在する場合には、情報提供システム３００は、処理をS1040に進める。
【００８７】
一方、同一ユーザのデータが存在しない場合には、情報提供システム３００は、医療データ管理テーブル６００に、医療機関コードとユーザ情報を記録する（S1020）。
【００８８】
そして情報提供システム３００は、ユーザＩＤを生成して医療データ管理テーブル６００に記録すると共に、「ユーザＩＤ」「医療機関コード」「ユーザ情報」をユーザ管理テーブル６１０にも記録する（S1030）。
【００８９】
そして情報提供システム３００は、二次元コードの画像データを生成して、医療機関システム２００に送信する（S1040、S1050）。二次元コードは、このユーザのユーザＩＤを暗号化した情報（ユーザ特定情報）をアドレスの一部として含むＵＲＬを符号化した二次元画像を生成することにより生成される。
【００９０】
医療機関システム２００は、二次元コードの画像データを取得後、プリンタ等に印刷して出力する（S1060）。
【００９１】
次に図１０を参照しながら、健康診断の結果を登録する場合の処理について説明する。
【００９２】
医療機関システム２００は、健康診断の結果（医療データ）と共に医療機関コードとユーザ情報を情報提供システム３００に送信する（S2000）。
【００９３】
情報提供システム３００は、医療機関コードとユーザ情報を、医療データ管理テーブル６００に記憶されている情報と照合し、同一ユーザのデータが存在するか否かを判定する（S2010）。
【００９４】
同一ユーザのデータが存在する場合には、情報提供システム３００は、該当するユーザの医療データの欄に、医療機関システム２００から取得した医療データを追加する。そして情報提供システム３００は処理をS2040に進める。
【００９５】
一方、同一ユーザのデータが存在しない場合には、情報提供システム３００は、医療データ管理テーブル６００に、医療機関コードとユーザ情報と医療データを記録する（S202
0）。
【００９６】
そして情報提供システム３００は、ユーザＩＤを生成して医療データ管理テーブル６００に記録すると共に、「ユーザＩＤ」「医療機関コード」「ユーザ情報」をユーザ管理テーブル６１０にも記録する（S2030）。
【００９７】
そして情報提供システム３００は、二次元コードの画像データを生成して、医療機関システム２００に送信する（S2040、S2050）。二次元コードは、このユーザのユーザＩＤを暗号化した情報（ユーザ特定情報）をアドレスの一部に引数として含むＵＲＬを符号化した二次元画像を生成することにより生成される。
【００９８】
医療機関システム２００は、二次元コードの画像データを取得後、プリンタ等に印刷して出力する（S2060）。
【００９９】
[アプリ７３０を用いたユーザ登録処理]
次に、図１１〜図１２を参照しながら、アプリ７３０がインストールされたユーザ端末１００を用いて、ユーザ登録を行う場合の処理について説明する。
【０１００】
まずユーザ端末１００は、アプリ７３０を起動する（S3000）。ユーザ端末１００がアプリ７３０を起動した際の様子を図１５に示す。なお、ユーザ登録が完了している場合は、図１５に示す画面で「ログイン」を選択して後述するログイン処理に進むが、ここでは、まだユーザ登録前の状態であるので、「新規アカウント登録」あるいは「かんたんＱＲコード登録」を選択する。「新規アカウント登録」を選択した場合は、ユーザは氏名や生年月日等のユーザ属性情報を一つずつ手入力する。「かんたんＱＲコード登録」を選択した場合は、以下に述べる処理に進む。
【０１０１】
この場合、ユーザ端末１００は、医療機関からユーザに配布された二次元コードの画像データを読み取る（S3010）。具体的には、図１５に示す画面で、ユーザが「かんたんＱＲコード登録」を選択することで、ユーザ端末１００は図１６に示すような二次元コード読み取り用の画面を表示する。そしてユーザがユーザ端末１００を操作してシャッタを押すと、ユーザ端末１００は二次元コードの画像データを読み取る。
【０１０２】
そうすると、ユーザ端末１００は、二次元コードからＵＲＬを復元すると共に、ＵＲＬからユーザ特定情報を抽出する（S3020）。
【０１０３】
そしてユーザ端末１００は、ユーザ特定情報と共に、ＵＲＬを指定したウェブページの閲覧要求を情報提供システム３００に送信する（S3030）。
【０１０４】
情報提供システム３００は、ユーザ特定情報を復号化し、ユーザ管理テーブル６１０内のユーザＩＤと照合し、該当するユーザの「ユーザ登録状態」欄を元に、ユーザ登録済みであるか否かを判定する（S3040、S3050）。
【０１０５】
ユーザ登録状態が「未登録」である場合は、情報提供システム３００は、仮登録ページをユーザ端末１００に送信する（S3070）。
【０１０６】
そしてユーザ端末１００は、仮登録ページを表示する（S3080）。ユーザ端末１００に仮登録ページが表示されている様子を図１７に示す。図１７に示すように、本実施形態に係る仮登録ページは、ユーザに「生年月日」（属性情報）を入力させた上で、「登録」ボタンを押す様に構成されている。
【０１０７】
ユーザ端末１００に生年月日が入力され、「登録」ボタンが押下されると（S3090）、ユーザ端末１００は、生年月日を情報提供システム３００に送信する（S3100）。
【０１０８】
そうすると情報提供システム３００は、ユーザ管理テーブル６１０を参照し、S3040で特定したユーザの生年月日と合致するか否かを判定する（S3110、S3120）。生年月日が合致しない場合には、情報提供システム３００は所定のエラー処理を実行する（S3130）。
【０１０９】
一方、生年月日が合致した場合には、情報提供システム３００は、ユーザ管理テーブルの「ユーザ登録状態」欄を「仮登録」に変更する（S3140）。
【０１１０】
そして情報提供システム３００は、仮登録を完了した旨の通知をユーザ端末１００に行う（S3150）。ユーザ端末１００に仮登録が完了した旨の通知が表示されている様子を、図１８に示す。これにより、ユーザは、自分の健康診断の結果を閲覧することが可能となる。
【０１１１】
そしてユーザ端末１００から、健康診断の結果の閲覧要求が情報提供システム３００に送信されると（S3160）、情報提供システム３００は、医療データ管理テーブル６００から、該当するユーザの健康診断の結果を取得し（S3170）、ユーザ端末１００に送信する（S3180）。
【０１１２】
そしてユーザ端末１００は、健康診断の結果を表示する（S3190）。その様子を、図１９に示す。なおユーザは、仮登録が完了すると、健康診断の結果だけでなく様々な医療データを閲覧することが可能となる。ユーザ端末１００にユーザの歩数や血圧等の健康データが表示されている様子を図２０に示す。
【０１１３】
その後、ユーザは、メールアドレスを情報提供システム３００に登録することにより、ユーザ登録状態を「本登録」にすることができる。ユーザ登録状態を本登録にした場合、ユーザは情報提供システム３００から様々な有益な情報を受け取ることができるようになる。
【０１１４】
一方、S3050において、ユーザ登録状態が既に「仮登録」あるいは「本登録」であった場合には、情報提供システム３００は、ログイン処理を実行する（S3060）。
【０１１５】
[ログイン処理]
ログイン処理を図１３のフローチャートを参照しながら説明する。
【０１１６】
まず情報提供システム３００は、ユーザ端末１００に、生年月日と、受診者番号の入力を要求する（S4000）。ユーザ端末１００に生年月日と受診者番号の入力を促す画面が表示されている様子を図２１に示す。
【０１１７】
ユーザ端末１００に生年月日と受診者番号が入力されると、ユーザ端末１００は、これらの情報を情報提供システム３００に送信する（S4010、S4020）。
【０１１８】
そして情報提供システム３００は、ユーザ管理テーブル６１０に記載されている情報と照合し、合致する情報があるか否かを判定する（S4030、S4040）。
【０１１９】
合致する情報がユーザ管理テーブル６１０にない場合には、情報提供システム３００は、所定のエラー処理を実行する（S4050）。
【０１２０】
一方、合致する情報がユーザ管理テーブル６１０に見つかった場合には、情報提供システム３００は、ログインが成功した旨の通知をユーザ端末１００に送信する（S4060）。
【０１２１】
そしてユーザ端末１００及び情報提供システム３００は、図１２の「Ｄ」「Ｃ」で示される部分から処理を継続する。具体的には、ログイン成功により、ユーザは、自分の健康診断の結果を閲覧することが可能となる。
【０１２２】
そしてユーザ端末１００から、健康診断の結果の閲覧要求が情報提供システム３００に送信されると（S3160）、情報提供システム３００は、医療データ管理テーブル６００から、該当するユーザの健康診断の結果を取得し（S3170）、ユーザ端末１００に送信する（S3180）。
【０１２３】
[二次元コードリーダを用いたアプリ７３０のインストール及びユーザ登録処理]
次に、図１４を参照しながら、二次元コードリーダを用いたアプリ７３０のインストール、及びユーザ登録を行う場合の処理について説明する。
【０１２４】
まずユーザ端末１００は、二次元コードリーダを起動して、医療機関からユーザに配布された二次元コードを読み取る（S5000）。具体的には、ユーザ端末１００が二次元コードリーダを起動した状態で、ユーザがユーザ端末１００のシャッタを押すことにより、二次元コードがユーザ端末１００に読み取られる。なお、二次元コードリーダはユーザ端末１００のＯＳ（Operating System）の機能として実現されている場合もある。この場合は、ユーザ端末１００のカメラ機能（あるいはカメラアプリ）を用いて二次元コードを撮影することにより、ＯＳ内の二次元コードリーダ機能によって、二次元コードが読み取られる。
【０１２５】
二次元コードが読み取られると、ユーザ端末１００は、二次元コードからＵＲＬを復元する（S5010）。
【０１２６】
そしてユーザ端末１００は、ＵＲＬを指定したウェブページの閲覧要求を情報提供システム３００に送信する（S5020）。
【０１２７】
情報提供システム３００は、ＵＲＬからユーザ特定情報を抽出すると共に、ユーザ特定情報を含むアプリインストールページ（上述した第１ウェブページ）を生成する。具体的には、情報提供システム３００は、第１ウェブページを記述したＨＴＭＬファイルに、ユーザ特定情報を記載しておく。また情報提供システム３００は、第１ウェブページにアプリ７３０の入手先であるダウンロードページ（第２ウェブページ）のＵＲＬを記述しておく。つまり、第１ウェブページ内に、アプリ７３０のダウンロードページに遷移するためのボタンが表示されるように、ＨＴＭＬファイルを記述する。また情報提供システム３００は、第１ウェブページのＨＴＭＬファイルに、アプリ７３０の起動コマンドも記述しておく。
【０１２８】
情報提供システム３００は、このようにして生成したアプリインストールページをユーザ端末１００に送信する（S5040）。
【０１２９】
そしてユーザ端末１００は、アプリインストールページを表示する（S5050）。ユーザ端末１００にアプリインストールページが表示されている様子を図２２に示す。
【０１３０】
図２２に示す画面において、アプリ７３０のダウンロードページに遷移するためのボタンは、ＯＳの種類に応じてiOS用とアンドロイド（登録商標）用の２つが設けられているが、情報提供システム３００がユーザ端末１００のＯＳを判別することにより、該当するＯＳのボタンのみを表示するようにしても良い。
【０１３１】
ユーザによってアプリ７３０のダウンロードページに遷移するためのボタンが押下された場合には（S5060）、ユーザ端末１００は、ダウンロードサイトに対してダウンロードページのリクエストを送信する（S5070）。そしてユーザ端末１００は、ダウンロードサイトからダウンロードページを取得する（S5080）。そしてユーザは、アプリ７３０をダウンロードページからユーザ端末１００にダウンロードすると共にインストールする（S5090）。
【０１３２】
この時点では、ユーザ端末１００にはダウンロードサイトが表示されており、アプリインストールページは表示されていない。ユーザがこのままブラウザを閉じてしまった場合は、ユーザ端末１００は処理を終了する（S5100）。この場合、ユーザ端末１００上でアプリ７３０が別途起動され、ユーザ端末１００が図１１及び図１２で説明した処理を行うことでユーザ登録が行われる。
【０１３３】
一方、ユーザがブラウザの戻るボタンを操作する等によって、再びアプリインストールページを表示した場合には（S5100）、ユーザ端末１００は、S5050から処理を続ける。
【０１３４】
この場合、図２２に示すアプリインストールページにおいて、ユーザが「アプリを起動」ボタンを押下した場合には（S5110）、ユーザ端末１００はアプリ７３０を起動する（S5120）。
【０１３５】
そしてユーザ端末１００は、図１１に示した「Ｆ」から処理を継続する。このとき、情報提供システム３００は、図１１に示した「Ｇ」から処理を継続する。つまり、ユーザ端末１００は、アプリインストールページに記述されたユーザ特定情報と共に、ＵＲＬを指定したウェブページの閲覧要求を情報提供システム３００に送信し（S3030）、情報提供システム３００から仮登録ページを取得し、ユーザ登録を行う。このような態様によってユーザ登録の手間を軽減することができる。またこの場合、ユーザは二次元コードの撮影を１回行うだけで、アプリ７３０のインストールとユーザ登録を行うことができる。
【０１３６】
以上、本実施形態に係る情報提供システム３００、情報提供システム３００の制御方法及びプログラムについて説明したが、本実施形態に係る情報提供システム３００、情報提供システム３００の制御方法及びプログラムによれば、ダウンロードしたソフトウェアを使用開始する際のユーザ登録の手間を軽減することができる。
【０１３７】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【０１３８】
上述の実施形態では、ユーザ特定情報としてユーザＩＤを暗号化した文字列を用いたが、ユーザＩＤそのものを用いてもよい。また、ユーザの属性情報の１つまたは２つ以上組み合わせて得られる情報をユーザ特定情報としてもよい。これにより、新たな項目を設けることなく、本発明を実施することができる。このような場合には、属性情報を暗号化した文字列をユーザ特定情報として用いることで、ユーザの属性情報を知っている他者が不正に登録することが困難となり、セキュリティを高めることができる。またユーザ特定情報として画像データ内のＵＲＬに含まれる個人情報が漏洩することを防止することができ、セキュリティを高めることができる。また、ユーザ特定情報が属性情報を基礎とするものである等の理由で、当該ユーザを一意に特定可能でない情報である場合には、ユーザの照合をユーザ特定情報のみでなく属性情報の入力と組み合わせて行うことで、実質的にユーザを一意に特定することができる。
【０１３９】
上述の実施形態では、画像データにはＵＲＬのみを含むものとしたが、その他の情報を含めてもよい。
【０１４０】
また、例えば、画像データにはアドレスの一部としてユーザ特定情報を含むものとしたが、その他の情報を含めてもよい。例えば、ＵＲＬの引数として、ユーザ特定情報の他にさらにユーザ管理テーブル６１０に含まれるユーザの属性情報を含めることができる。これにより、仮登録時においてユーザ端末１００にユーザの属性情報を表示することができ、ユーザに登録済み情報の再確認を促すことができる。また、ユーザ情報の再度の入力が必要な場合であっても、これを容易に行わせることができる。この場合、セキュリティを高める観点から、このような属性情報は当該アプリ７３０または当該ユーザによってのみ復号化可能な形で暗号化し、ＵＲＬの一部として含めることが好ましい。
【符号の説明】
【０１４１】
１００    ユーザ端末
１１０    ＣＰＵ
１２０    メモリ
１３０    通信装置
１４０    記憶装置
１５０    入力装置
１６０    出力装置
１７０    記録媒体読取装置
２００    医療機関システム
２１０    ＣＰＵ
２２０    メモリ
２３０    通信装置
２４０    記憶装置
２５０    入力装置
２６０    出力装置
２７０    記録媒体読取装置
３００    情報提供システム
３０１    画像データ出力部
３０２    ＵＲＬ取得部
３０３    第１ウェブページ送信部
３０４    ユーザ特定情報取得部
３０５    サービス提供部
３０６    ユーザ管理テーブル
３０７    コンテンツ情報記憶部
３１０    ＣＰＵ
３２０    メモリ
３３０    通信装置
３４０    記憶装置
３５０    入力装置
３６０    出力装置
３７０    記録媒体読取装置
５００    ネットワーク
６００    医療データ管理テーブル
６１０    ユーザ管理テーブル
７００    情報提供システム制御プログラム
７１０    ユーザ端末制御プログラム
７２０    医療機関システム制御プログラム
７３０    アプリ
８００    記録媒体
１０００  情報システム
【図１】
2020021274.tif 000003
【図２】
2020021274.tif 000004
【図３】
2020021274.tif 000005
【図４】
2020021274.tif 000006
【図５】
2020021274.tif 000007
【図６】
2020021274.tif 000008
【図７】
2020021274.tif 000009
【図８】
2020021274.tif 000010
【図９】
2020021274.tif 000011
【図１０】
2020021274.tif 000012
【図１１】
2020021274.tif 000013
【図１２】
2020021274.tif 000014
【図１３】
2020021274.tif 000015
【図１４】
2020021274.tif 000016
【図１５】
2020021274.tif 000017
【図１６】
2020021274.tif 000018
【図１７】
2020021274.tif 000019
【図１８】
2020021274.tif 000020
【図１９】
2020021274.tif 000021
【図２０】
2020021274.tif 000022
【図２１】
2020021274.tif 000023
【図２２】
2020021274.tif 000024